(57)【要約】  本発明は、液体を浄化するための装置および方法に関する。装置は、密閉容器３０１とヒータ３０５とを有する。密閉容器は、液体を格納するように構成され、容器の少なくとも一部は、フィルタ膜３０３からなる。ヒータは、液体がフィルタ膜を介して容器から出されるように、液体を加熱するように構成される。ヒータは、容器内のガス及び／又は液体を加熱することにより、容器内の圧力を能動的に増大させることができる。時には、密閉容器内に格納された液体の一部が気化されてもよく、これは、同様に容器内の圧力を増大させる。増大された圧力下で、液体は、容器から容易に出されるとともにフィルタ膜を介して浄化され得る。濾過が加熱により能動的に動かされるので、装置の濾過効率は、種々のアプリケーションに従って制御されることができ、向上することができる。
2015512783.tif 000002
【特許請求の範囲】
【請求項１】
液体を浄化するための装置であって、
液体を格納するための密閉容器であって、前記容器の少なくとも一部が、フィルタ膜からなる、密閉容器と、
液体がフィルタ膜を介して前記容器から出されるように液体を加熱するためのヒータとを有する、装置。
【請求項２】
前記フィルタ膜は、ナノ濾過膜を有する、請求項１に記載の装置。
【請求項３】
前記ナノ濾過膜は、セラミックナノ濾過膜を有する、請求項２に記載の装置。
【請求項４】
前記フィルタ膜は、液体の沸騰の間に前記ヒータから放出される気泡の少なくとも一部が前記フィルタ膜に沿って流れるように、前記ヒータの上に配置される、請求項１に記載の装置。
【請求項５】
前記容器から出された液体を収集するためのチャンバを更に有し、
前記チャンバは、前記フィルタ膜を介して前記容器から少なくとも部分的に分離される、請求項１に記載の装置。
【請求項６】
前記容器内の液体レベルを測定するためのセンサと、
前記センサからの測定結果に応じて前記ヒータの加熱を制御するためのコントローラとを更に有する、請求項１に記載の装置。
【請求項７】
前記容器内の圧力を予め決められた圧力より低くなるように維持するように構成される、前記容器と流体連通する安全弁を更に有する、請求項１に記載の装置。
【請求項８】
請求項１−７のうちいずれか一項に記載の装置を有する、ケトル。
【請求項９】
液体を浄化するための方法であって、
密閉容器内の液体を格納するステップであって、前記容器の少なくとも一部がフィルタ膜からなる、ステップと、
液体が前記フィルタ膜を介して前記容器から出されるように液体を加熱することにより前記容器内の圧力を増大させるステップとを有する、方法。
【請求項１０】
前記フィルタ膜は、セラミックナノ濾過膜を有する、請求項９に記載の方法。
【発明の詳細な説明】
【技術分野】
【０００１】
本発明は、概して、液体浄化技術に関するものであり、より詳しくは、液体を浄化するための装置及び方法に関する。
【背景技術】
【０００２】
消費、洗浄、飲料又は他の目的のための液体を処理するための多くの処理がある。これらの処理の中で、粒子、バクテリア、イオン等のような汚染物質を液体から除去するためにフィルタを利用する濾過処理がしばしば用いられる。しかしながら、ほとんどの濾過処理に関して、濾過は、例えば液体の重力により実質的に受動的に動作し、これは、種々の浄化アプリケーションにおいて十分に効果的ではない。
【発明の概要】
【発明が解決しようとする課題】
【０００３】
それ故、より高い効率を有する、水又は水溶液等のような液体を浄化するための装置及び方法を提供することが有利であるだろう。
【課題を解決するための手段】
【０００４】
本発明の一実施形態によれば、液体を浄化するための装置は、液体を格納するための密閉容器であって、前記容器の少なくとも一部が、フィルタ膜からなる、密閉容器と、液体がフィルタ膜を介して前記容器から出されるように液体を加熱するためのヒータとを有する。
【０００５】
本発明の幾つかの実施形態において、ヒータは、容器内のガス及び／又は液体を加熱することにより、容器内の圧力を能動的に増大させることができる。時には、密閉容器内に格納された液体の一部が気化されてもよく、これは、同様に容器内の圧力を増大させる。増大された圧力下で、液体は、容易に容器から出され得るとともに、フィルタ膜を介して浄化され得る。濾過が加熱により能動的に動作されるので、濾過効率は、種々のアプリケーションに従って制御及び向上され得る。
【０００６】
一実施形態において、フィルタ膜は、ナノ濾過膜を有する。ナノ濾過膜は、人体に影響しない幾つかの一価のイオンが通過するのを選択的に可能にし、ほとんど全ての多価イオン、低分子量有機物質及び有機汚染物質（例えばバクテリア）を閉め出すことができる。
【０００７】
一実施形態において、ナノ濾過膜は、セラミックナノ濾過膜を有する。セラミックナノ濾過は、摂氏１００度を超える温度に耐えることができ、これは、装置の使用法を拡張する。
【０００８】
一実施形態において、フィルタ膜は、液体の沸騰の間にヒータから放出される気泡の少なくとも一部がフィルタ膜に沿って流れるように、ヒータの上に配置される。容器内の液体が沸騰するまで加熱されたときには、放出された泡は、フィルタ膜を洗い流すことができ、フィルタ膜の濾過孔をクリーニングすることができる。この手法において、フィルタ膜が自己クリーニングされ、その寿命が延ばされ得る。
【０００９】
一実施形態において、装置は、容器から出された液体を収集するためのチャンバを更に有し、チャンバは、フィルタ膜を介して容器から少なくとも部分的に分離される。チャンバは、装置により浄化された液体を収集することを容易にする。
【００１０】
一実施形態において、装置は、容器内の液体レベルを測定するためのセンサと、センサからの測定結果に応じてヒータの加熱を制御するためのコントローラとを更に有する。この制御メカニズムは、装置が過熱するのを阻止することができ、これにより、装置を用いる安全リスクを低減する。
【００１１】
一実施形態において、装置は、容器と流体連通する安全弁を更に有し、これは、容器内の圧力を予め決められた圧力より低くなるように維持するように構成される。安全弁は、装置の安全を向上させる。
【００１２】
一実施形態において、先の実施形態のいずれか１つの液体を浄化するための装置を有するケトルが提供される。ケトル内の液体を浄化するための装置は、水から固体粒子、有機汚染物質及び金属イオンを効果的に除去することができる。更に、沸騰した水がケトル内の浄化とともに生成されるので、浄化の後に追加の加熱は必要とされない。故に、ケトルは、沸騰した水の二次的な汚染リスクを低減する。
【００１３】
一実施形態において、液体を浄化するための方法であって、密閉容器内の液体を格納するステップであって、前記容器の少なくとも一部がフィルタ膜からなる、ステップと、液体が前記フィルタ膜を介して前記容器から出されるように液体を加熱することにより前記容器内の圧力を増大させるステップとを有する、方法が提供される。
【００１４】
本発明の詳細な説明及び他の態様が以下で与えられるだろう。
【００１５】
本発明の特定の態様は、添付図面に関連して後述及び考慮される実施形態を参照してここで説明されるだろう。図面において、同一の部分又はサブステップは同じ態様で示される。
【図面の簡単な説明】
【００１６】
【図１】本発明の一実施形態による液体を浄化するための装置１００を示す。
【図２】本発明の他の実施形態による液体を浄化するための装置２００を示す。
【図３】本発明の一実施形態によるケトル３００を示す。
【図４】本発明の一実施形態による液体を浄化するための方法４００のフローチャートを示す。
【発明を実施するための形態】
【００１７】
図１は、本発明の一実施形態による液体を浄化するための装置１００を示している。装置１００は、水、溶液、懸濁液又は他の適切な液体を、これらから固体粒子、有機汚染物質及び金属イオンを除去することにより、浄化するために用いられ得る。図１に示されるように、装置１００は、液体１１６を格納するための密閉容器１０１であって、容器１０１の少なくとも一部がフィルタ膜１０３からなる、密閉容器１０１と、液体１１６がフィルタ膜１０３を介して容器１０１から出されるように液体１１６を加熱するためのヒータ１０５とを有する。
【００１８】
図１に示された実施形態において、容器１０１は、液体１１６を格納するための空間を規定するハウジング１０７を有する。ハウジング１０７の一部は、フィルタ膜１０３からなる。幾つかの他の実施形態において、ハウジング１０７の全てがフィルタ膜１０３からなってもよい。ハウジング１０７は、プラスチック、金属、ガラス、セラミック又は他の適切な材料から作られてもよい。一実施形態において、フィルタ膜１０３は、フィルタ膜１０３のための定期的なメンテナンス又は交換を可能にするために、ハウジング１０７から着脱可能であってもよい。代わりに、フィルタ膜１０３は、ハウジング１０７と一体的に形成されてもよい。ハウジング１０７は、開口部１０９を有し、これは、例えば、ハウジング１０７の上部又は側部に配置されている。開口部１０９は、浄化されるべき液体１１６を容器１０１に注入するように構成され、時には、例えば液体１１６の大部分が装置１００により浄化された後に、残りの液体１１６を容器１０１から注ぎ出すように構成される。本実施形態において、装置１００は、ハウジング１０７から少なくとも部分的に着脱可能であるカバー１１１を更に有する。カバー１１１は、容器１０１における高圧下でハウジング１０７からの分離を回避するように、例えばファスナ（図示省略）を介してハウジング１０７に取り付けられてもよく、又は、開口部１０９にねじ込まれてもよい。カバー１１１は、開口部１０９にマッチする輪郭を有する。カバー１１１は、液体１１６が開口部１０９を介して漏れるのを阻止するために用いられ得るシールリング又はシリコンゴムの外筒を有してもよい。このように構成された容器１０１は、気密性である。換言すれば、ハウジング１０７は、容器１０１内の圧力が圧力閾値を超えない限り、容器１０１内の液体１１６を維持することができる。
【００１９】
フィルタ膜１０３は、容器１０１内の圧力が圧力閾値を超えたときに、液体１１６が容器１０１から流出するのを可能にする濾過孔を有する。幾つかの実施形態では、フィルタ膜１０３は、ナノ濾過膜を有する。ナノ濾過膜は、圧力方式の膜であり、０．１ｎｍから１０ｎｍまでの範囲のポアサイズを有する。幾つかの実施形態では、ポアサイズの逸脱は許容される。例えば、０．０５ｎｍから５０ｎｍまでの範囲のポアサイズを有するナノ濾過膜が依然として機能する。一例において、フィルタ膜１０３は、セラミックナノ濾過膜を有してもよい。セラミックナノ濾過膜は、摂氏１００度を超える温度に耐えることができる。他の例では、ナノ濾過膜は、ポリマ膜であってもよい。装置１００が原水又は水道水を浄化するために用いられるときに、ナノ濾過膜は、人体に影響しない幾つかの一価のイオンを選択的に通過させることができ、ほとんど全ての多価イオン、低分子量有機物質及び有機汚染物質（例えばバクテリア）を閉め出すことができる。幾つかの他の実施形態において、フィルタ膜１０３は、ナノ濾過膜とは異なるポアサイズを有する微量濾過膜、超濾過膜又は逆浸透膜を有してもよい。
【００２０】
一実施形態において、液体１１６が流出するのを可能にする圧力閾値は、濾過孔のポアサイズ及び液体分子のサイズに実質的に依存する。概して、より小さな孔を有するフィルタ膜１０３に関して、容器１０１内のより高い圧力が、液体１１６を外へ出すために必要とされる。より大きい分子を有する液体に関して、より高い圧力が同様に必要とされる。例えば、装置１００が水を浄化するために用いられるときには、２００ｋＰａから５ＭＰａまでの範囲の圧力が、水を外へ出すために必要とされ得る。他の液体（例えばエタノール又はイソプロピルアルコール）に関して、これらの液体の分子はＨ２Ｏより大きいので、より高い圧力が必要とされ得る。
【００２１】
図１に示されるように、ヒータ１０５は、容器１０１の底面側に配置される。例えば、ヒータ１０５は、電気加熱デバイスである。幾つかの他の実施形態において、ヒータ１０５は、容器１０１の下に配置されたバーナであってもよく、バーナは、ハウジング１０７の底面を介して容器１０１内の液体１１６を加熱するように構成される。ヒータ１０５の位置も可変であってもよい。例えば、ヒータ１０５は、容器１０１の側部に配置されてもよく、又は、ロッド（図示省略）を介してハウジング１０７の上部側から吊るされてもよい。
【００２２】
動作中、ヒータ１０５は、容器１０１内の温度を増大させるように、容器１０１内の液体１１６を能動的に加熱する。容器１０１の増大された温度は、容器１０１内のガス及び／又は液体１１６が膨張することをもたらし、これにより、容器１０１内の圧力を増大させる。ガスは、液体１１６が注入されたときには、容器１０１内の一部の空間を占める空気であってもよく、又は、加熱の間に容器１０１内の液体１１６から気化されてもよい。更に、容器１０１は、フィルタ膜１０３の濾過孔により与えられる流体経路を除いて気密性である。この手法において、容器１０１内の圧力は、加熱下で圧力閾値を超えてもよく、その後、液体１１６をフィルタ膜１０３を介して容器１０１から出してもよい。幾つかの実施形態では、ヒータ１０５は、密閉容器１０１内の少なくとも一部の液体１１６が気化され得るように液体１１６を沸騰するまで加熱してもよい。液体１１６の蒸発は、圧力が液体分子がフィルタ膜１０３を通過するのに必要とされる圧力閾値に達するか又はそれを超えるまで、連続的に容器１０１内の圧力を増大させる。故に、液体１１６は、フィルタ膜１０３を介して容器１０１から連続的に出され得る。液体１１６を容器１００から出すことは、容器１００内の圧力を減少させる傾向にあるが、しかしながら、加熱により生成されるますます多くの蒸気により相殺される。更に、液体１１６がフィルタ膜１０３を介して通過するときには、フィルタ膜１０３を通り抜けるにはあまりに大きい固体粒子、多価イオン、有機汚染物質、又は、任意の他の適切な不快な材料のような、液体１１６中の汚染物質１１３は、フィルタ膜１０３により容器１０１内に保たれる。例えば、汚染物質１１３の一部は、残りの液体１１６内に保たれ、幾つかの他の汚染物質１１３は、フィルタ膜１０３にくっつき、後に再び残りの液体１１６にブラッシングされてもよい。この手法において、容器１０１から出された液体１１６の純度は、濾過により向上される。更に、容器１０１内の液体１１６の増大された温度は、液体１１６内の有機汚染物質の一部を少なくとも部分的に圧縮することができ、これは、液体の純度を更に向上させる。更に、濾過がヒータ１０５の加熱により能動的に駆動されるので、濾過効率は、例えば容器１０１内のガス及び／又は液体の温度を調整することにより、異なるアプリケーションに応じて調整され得る。
【００２３】
図１に示された実施形態において、フィルタ膜１０３は、ヒータ１０５の上に配置される。動作中、液体１１６がヒータ１０５により沸騰するまで加熱されたときには、容器１０１内の液体１１６は激しく気化される。液体１１６の蒸発は、液体１１６に気泡１１５を取り込み、これは、ヒータ１０５から容器１０１の上部まで上昇する。フィルタ膜１０３がヒータ１０５の上に配置されるので、液体１１６の沸騰の間にヒータ１０５から放出された泡１１５の幾つかは、フィルタ膜１０３に沿って流れるだろう。フィルタ膜１０３の濾過孔をブロックするような、フィルタ膜１０３にくっついた汚染物質１１３は、フィルタ膜１０３から離れるように洗い流され得る。この手法において、フィルタ膜１０３は、浄化の間に自己クリーニングされ、装置１００の寿命は大幅に延ばされ得る。代替実施形態では、フィルタ膜１０３は、その部分のみがヒータ１０５の上にあるように配置され得る。
【００２４】
図２は、本発明の他の実施形態による液体を浄化する装置２００を示している。図２に示されるように、装置２００は、液体２１６を格納するための密閉容器２０１であって、容器２０１の少なくとも一部は、フィルタ膜２０３からなる、密閉容器２０１と、液体２１６がフィルタ膜２０３を介して容器２０１から出るように液体２１６を加熱するためのヒータ２０５とを有する。
【００２５】
図２に示された実施形態において、ヒータ２０５は、容器２０１の底面側に配置される。フィルタ膜２０３は、ヒータ２０５の上に配置され、容器２０１の一の側部に配置される。そして、容器２０１の側部は、容器２０１の底面側から鋭角に傾斜される。動作中、液体２１６が沸騰するまで加熱され、気泡がヒータ２０５から上昇したときには、傾斜フィルタ膜２０３は、ヒータ２０５に対してより広いエリアをさらすので、より多くの気泡と接触し易くなる。それ故、フィルタ膜２０３は、ヒータ２０５から放出される気泡により、より効果的にクリーニングされ得る。図１及び図２に示された容器及びフィルタ膜の構造は例示的又は単なる例であって限定的なものではなく、他の適切な構造が異なるアプリケーションに従って使用されてもよいことが、当業者により理解され得る。更に、ヒータの位置は可変であってもよい。例えば、ヒータは、容器の側部に配置されてもよく、又は、ロッドを介して容器の上部から吊るされてもよい。
【００２６】
本実施形態において、装置２００は、容器２０１から出た液体を収集するためのチャンバ２０７を更に有する。チャンバ２０７は、容器２０１の外側に配置され、フィルタ膜２０３を介して容器２０１から少なくとも部分的に分離される。幾つかの実施形態では、チャンバ２０７は、容器２０１から着脱可能であってもよい。例えば、チャンバ２０７は、ファスナにより容器２０１に取り付けられてもよい。幾つかの他の実施形態において、チャンバ２０７は、例えば成形プロセスにより一体的に形成された容器２０１と一体化されてもよい。
【００２７】
装置２００は、安全リスクを低減するための安全制御モジュールを更に有する。例えば、装置２００は、容器２０１内の液体レベルを測定するためのセンサ２０９と、センサ２０９からの測定結果に従ってヒータ２０５の加熱を制御するためのコントローラ２１１とを有する。詳細には、センサ２０９は、容器２０１内に配置され、例えば、容器２０１の側部の特定位置に、及び、容器２０１の底面の数ミリメートル上に固定される。センサ２０９は、コントローラ２１１に電気的に結合される。そして、コントローラ２１１は、ヒータ２０５に電気的に結合される。動作中、容器２０１内の液体レベルがセンサ２０１又はセンサ２０９により検出された特定のエリアより低いときには、センサ２０９は、液体レベルを通知するためにコントローラ２１１に警告信号を送ってもよい。警告信号に応答して、コントローラ２１１は、ヒータ２０５に対して、ヒータ２０５の電源を切るための制御信号を供給してもよい。従って、ヒータ２０５は、容器２０１内の残りの液体２１６を加熱することを回避するように電源が切られ得る。
【００２８】
幾つかの実施形態では、装置２００は、安全弁２１３を更に有してもよく、これは、容器２０１内の圧力を予め決められた圧力より低くなるように維持するように構成される。予め決められた圧力は、液体２１６が容器２０１から流出するのを可能にする圧力閾値より大きくなるべきである。例えば、予め決められた圧力は、容器２０１の構造及び材料の耐圧強度に関連する。安全弁２１３は、容器２０１と流体連通している。例えば、安全弁２１３は、スプリングタイプの安全弁、ポペットタイプの安全弁、又は、他の適切なタイプの安全弁であってもよい。容器２０１内の圧力が予め決められた圧力を超えたときには、安全弁２１３は、自動的にオンになり、容器２０１内の液体２１６又はガスを漏出する。それ故、安全弁２１３は、容器２０１内の高圧力によりもたらされる損傷リスクを低減することができ、これは、装置２００の安全を大幅に向上させる。
【００２９】
図３は、本発明の一実施形態によるケトル３００を示している。図３に示されるように、ケトル３００は、図１における装置１００又は図２における装置２００を有する。具体的には、ケトル３００は、容器３０１、ヒータ３０５及びチャンバ３０７を有する。容器３０１は、原水３１６を注入するための開口部３０９を有し、チャンバ３０７は、浄化された水３１８を吐き出すための出口３１１を有する。容器３０１及びチャンバ３０７は、互いに隣接するように設けられ、プレート３１３は、容器３０１及びチャンバ３０７を互いから分離するためにこれらの間に配置される。図３に示された実施形態において、プレートの少なくとも一部は、フィルタ膜３０３からなる。
【００３０】
動作中、原水３１６が容器３０１の下に配置されたヒータ３０５により加熱されたときに、原水３１６の温度は増大する。増大された温度は、原水３１６が膨張することをもたらし、これにより、容器３０１内の圧力を増大させる。容器３０１内の圧力が圧力閾値を超えたときには、容器３０１内の水３１６は、容器３０１からフィルタ膜３０３を介してチャンバ３０７に動かされるだろう。フィルタ膜３０３は、容器３０１を通る流体通路を与える。このプロセスでは、原水３１６における汚染物質３１５は、浄化された水３１８がチャンバ３０７において収集され得るように、容器３０１内に保たれる。それ故、ケトル３００は、高い純度を有する沸騰した水３１８を供給することができ、これは、用いるのにより便利である。更に、ヒータ３０５が容器３０１内の原水３１６を沸騰するまで加熱することができるので、フィルタ膜３０３及び／又は容器３０１における有機汚染物質は、高温下で少なくとも部分的に分解され得る。故に、装置３００は、フィルタ膜３０３における生物付着リスクを低減することができ、これは、フィルタ膜３０３の寿命を更に延ばす。
【００３１】
幾つかの実施形態では、フィルタ膜３０３は、ナノ濾過膜（例えば、セラミックナノ濾過膜）であってもよい。セラミックナノ濾過膜は、摂氏１００度の熱湯より高い温度に耐えることができる。更に、ナノ濾過膜は、人間の体に影響しない幾つかの一価のイオンが通過するのを選択的に可能にすることができ、ほとんど全ての多価イオン、低分子量有機物質、有機汚染物質（例えば、バクテリア）、又は、フィルタ膜３０３を通り抜けるにはあまりに大きい任意の他の適切な不快な材料を閉め出すことができる。
【００３２】
上記のことから明らかなように、ケトル３００は、沸騰した水３１８を生成することができ、追加的に水浄化処理を実行することができる。故に、浄化の後に追加の加熱が必要とはされない。この手法において、ケトル３００は、例えば、ボイラにおける又は下流の通路における汚染によりもたらされる、沸騰した水の二次的な汚染リスクを低減することができる。
【００３３】
図４は、本発明の一実施形態による液体を浄化するための方法４００のフローチャートを示している。方法４００は、水、溶液、懸濁液又は他の適切な液体を、これらから固体粒子、有機汚染物質及び金属イオンを除去することにより、浄化するために用いられ得る。
【００３４】
図４に示されるように、方法４００は、密閉容器内の液体を格納するステップＳ４０２を有し、容器の少なくとも一部は、フィルタ膜からなる。方法４００は、液体がフィルタ膜を介して容器から出るように、液体を加熱することにより容器内の圧力を増大させるステップＳ４０４を更に有する。
【００３５】
動作中、密閉容器は、容器内のガス及び／又は液体の温度を増大させるように、例えばヒータにより、加熱される。増大された温度は、容器内のガス及び／又は液体が膨張することをもたらし、これにより、容器内の圧力を増大させる。或る期間の間加熱された後、容器内の圧力は、圧力閾値に達するか又はこれを超え、その後、容器から液体を出し得る。幾つかの状態において、ヒータは、容器内の液体の少なくとも一部が気化され得るように、液体を沸騰するまで加熱してもよい。液体の蒸発は、容器内の圧力を連続的に増大する。故に、液体は、フィルタ膜を介して容器から連続的に出され得る。更に、液体がフィルタ膜を通過したときには、固体粒子、多価イオン及び有機汚染物質のような液体中の汚染物質は、フィルタ膜により容器内に保たれる。この手法において、容器から動かされた液体の純度は向上する。濾過が加熱により能動的に動作されるので、方法４００の濾過効率は、種々のアプリケーションに従って制御され得るとともに、向上し得る。
【００３６】
フィルタ膜は、容器内の圧力が圧力閾値を超えたときに、液体が容器から流れるのを可能にする濾過孔を有する。幾つかの実施形態では、フィルタ膜は、ナノ濾過膜を有する。ナノ濾過膜は、圧力方式の膜であり、０．１ｎｍから１０ｎｍまでの範囲のポアサイズを有する。一例において、フィルタ膜は、セラミックナノ濾過膜を有してもよい。セラミックナノ濾過膜は、摂氏１００度を超える温度に耐えることができる。方法４００が原水又は水道水を浄化するために用いられたときには、ナノ濾過膜は、人体に影響しない幾つかの一価のイオンが通過するのを選択的に可能にし、ほとんど全ての多価イオン、低分子量有機物質、有機汚染物質（例えば、バクテリア）、又は、フィルタ膜を通り抜けるにはあまりに大きい任意の他の適切な不快な材料を閉め出すことができる。
【００３７】
幾つかの実施形態では、ステップＳ４０４は、容器内の液体レベルを測定すること、及び、測定値結果に従って加熱を制御することを更に有してもよい。制御メカニズムは、容器内の液体を過熱することを回避することができ、これにより、液体を浄化する安全リスクを低減する。幾つかの他の実施形態において、ステップＳ４０４は、容器内の圧力が予め決められた圧力を超えたときに、容器内の圧力を解放することを更に有してもよい。予め決められた圧力は、液体が容器から流出するのを可能にする圧力閾値より大きい。例えば、予め決められた圧力は、容器の構造及び材料の耐圧強度に関連する。それ故、容器内の高圧力によりもたらされる損傷の可能性を低減することができ、これは、液体を浄化する安全を更に向上させる。
【００３８】
本発明が図面及び前述の説明において図示及び記述される一方で、斯様な説明は、実例又は例示であるとみなされるべきであり、限定的するものとみなされるべきではない。本発明は、開示された実施形態に限定されるものではない。開示された実施形態に対する他のバリエーションは、図面、開示及び添付の特許請求の範囲の研究から、当業者によって理解され、実施され得る。請求項において、"有する"という用語は他の要素又はステップを除外するものではなく、単数表記は複数を除外するものではない。単一のユニットは、請求項において記載された幾つかのアイテムの機能を充足してもよい。特定の手段が相互に異なる従属請求項に記載されるという単なる事実は、これらの手段の組合せが有利に用いられ得ないことを示すものではない。請求項中のいかなる参照符号も、その範囲を限定するものとして解釈されるべきでない。
【図１】
2015512783.tif 000003
【図２】
2015512783.tif 000004
【図３】
2015512783.tif 000005
【図４】
2015512783.tif 000006
【国際調査報告】
2015512783.tif 000007
2015512783.tif 000008
2015512783.tif 000009